(57)【要約】      （修正有）【課題】立て置きした陳列商品の両側部を確実に保持し且つ、商品を損傷させること無く取り外したり元の状態に直すことを迅速簡単にできる商品陳列ラックを提供する。【解決手段】正面壁面１０１に複数の水平棚１０２−１〜１０２−４を平行に配置した商品陳列ラックにおいて、下端部を水平棚の上面に載置し、正面壁面に斜めか鉛直に立て掛けた陳列商品Ｂ１〜Ｂ４の両エッジ部（両側部）に相当する正面壁面部に、一対のエッジピース２００を対向配置する。エッジピースの各々は、後端部を正面壁面に直角に装着する仕切りピース部２０１と、前端部に中央部を接続し両端部を正面壁面側に湾曲して陳列商品のエッジ部前面を押さえる湾曲ストッパーピース部２０２とを形成した錨型にし、湾曲ストッパーピース部の両側先端部に、陳列商品の表面と面接触する湾曲凸面部、半球面体、球面体、曲がり部の何れかを形成する。【選択図】図１
0003197708.tif 000002
【実用新案登録請求の範囲】
【請求項１】
商品陳列ラックの正面壁面に複数の水平棚を平行に配置した商品陳列ラックにおいて、下端部を前記水平棚の上面に載置し、前記正面壁面に斜めか鉛直に立て掛けた陳列商品に対してその陳列商品の両エッジ部（両側部）に相当する正面壁面部に、一対のエッジピースを対向配置して装着し、前記一対のエッジピースの各々は、後端部を前記正面壁面に直角に装着する仕切りピース部と、前記仕切りピース部の前端部に中央部を接続し両端部を正面壁面側に湾曲して当該陳列商品のエッジ部の前面を押さえ又は飛び出しを防止する湾曲ストッパーピース部とにより形成した錨型にしたことを特徴とする商品陳列ラック。
【請求項２】
前記湾曲ストッパーピース部は、両側部に陳列商品の表面と面接触する湾曲凸面部を形成するか半球面体又は球面体を設けるか、或いは曲がり部を形成したことを特徴とする請求項１に記載の商品陳列ラック。
【考案の詳細な説明】
【技術分野】
【０００１】  本考案は、例えばタイトルを正面にした本、書籍、パンフレット、カタログ或いは、ＤＶＤ、ゲーム、化粧品などのケース入り商品や各種ご贈答品を、斜めか鉛直に立て置きして、その両側部を倒れないように保持し且つ、損傷させずに取り外しと元の立て立て置き状態に直すことが極めて迅速的確で容易に可能にした商品陳列ラックに関するものである。
【背景技術】
【０００２】タイトルを正面にした本、書籍、パンフレット、カタログ或いは、ＤＶＤ、ゲーム、化粧品などのケース入り商品を、斜めか鉛直に立て置きして、その両側部を倒れないように保持する商品陳列ラック（以下単に商品陳列ラックと称する）における上記商品の陳列姿勢の保持手段は、従来、倒れや落下防止の機能を含めて、本の収納部の前方の全長に立ち上がり部を形成したもの、棚面に突起物を設けたもの、或いは棚の入口や下部に棒状、紐状、板状の防護フェンスを橋渡ししたものが多い。他に本の下半分を収容し上方取り外し自在にした或いは前後に傾動可能にした防護ボックス等が知られている。【０００３】  前記防護フェンスの場合は、高さを一定に調節しておき陳列商品の前後傾斜動による倒れを防止するが本の取り出し及び元の状態に直すにはフェンスが障害になる。またフェンスとの接触も多く損傷を免れない。また左右の動きに対しては抑止効果がなく、隣接の商品同士の位置干渉による損傷が多くまた取り出し及び元の状態に直すには煩雑で時間のかかる作業を伴うわりには、整理整頓状態の長時間保持が難しい。
また防護ボックスの場合は、ボックスからの商品の取り出し及び元の状態に直すには防護フェンスに比し大きな煩雑さをともない時間のかかる作業となる。
【考案の概要】
【考案が解決しようとする課題】
【０００４】  本考案は、例えばタイトルを正面にして、斜めか鉛直に立て置きした陳列商品について、その両側部を倒れないように確実に保持し且つ、商品を損傷させること無く容易に取り外し及び元の立て掛けや立て置き状態に直すことを迅速簡単に可能にした安全簡単構造の商品陳列ラックを提供する。
【課題を解決するための手段】
【０００５】  本考案の特徴は次の（１）〜（３）に紹介の通りである。
（１）、商品陳列ラックの正面壁面に複数の水平棚を平行に配置した商品陳列ラックにおいて、下端部を前記水平棚の上面に載置し、前記正面壁面に斜めか鉛直に立て掛けた陳列商品に対してその陳列商品の両エッジ部（両側部）に相当する正面壁面部に、一対のエッジピースを対向配置して装着し、前記一対のエッジピースの各々は、後端部を前記正面壁面に直角に装着する仕切りピース部と、前記仕切りピース部の前端部に中央部を接続し両端部を正面壁面側に湾曲して当該陳列商品のエッジ部の前面を押さえ又は飛び出しを防止する湾曲ストッパーピース部と形成した錨型にしたことを特徴とする商品陳列ラック。
（２）、前記錨型のエッジピースの、湾曲ストッパーピース部は、図２（１）に示す例のように両側部に陳列商品の表面と面接触する湾曲凸面部Ｗに形成するか、図３（１）に示す例のように半球面部ＨＱを形成するか、又は図３（２）に示す例のように球面体Ｑを設けるか、或いは図３（３）に示す例のように曲がり部Ｍを形成したことを特徴とする前記商品陳列ラック。
（３）、また前記エッジピースの仕切りピース部を商品陳列ラックの正面壁面に装着する方法としては、正面壁材を磁性体にしてのマグネット装着、正面壁材を木製にしての木ネジ装着、正面壁に雌ネジを嵌めての雄ネジ装着、正面壁に貫通孔を設けてのフック装着等、その他公知の適宜な装着具を採用する。
（４）、エッジピースは、材質を真鍮等の金属製、樹脂製などでよいが変色しない材質が好ましい。また商品陳列ラックの配色に応じて適宜に塗装装飾するなどの工夫を施すこともこのましい。また断面形状は円形、角形、楕円形、矩形など任意の形状でよい。
【考案の効果】
【０００６】  本考案の商品陳列ラックは、陳列商品の表面がラック前面にそろい審美性、美観と視認性を維持する優れたものである。
また本考案の商品陳列ラックは、一対のエッジピースの対向配置の際の両仕切りピース部と湾曲ストッパーピース部の配置寸法関係は、図４に示すように、前記一対のエッジピース２００の各ストッパーピース部２０２の先端部の対向間隔Ｌ１を陳列商品の幅寸法Ｌより短くし、各仕切りピース部２０１の対向間隔Ｌ２をその陳列商品の幅寸法Ｌより長くし、一方のエッジピース２００の仕切りピース部２０１から他方のエッジピース２００のストッパーピース部２０２の先端部との対向間隔Ｌ３を陳列商品の幅寸法より大きくすることにより陳列商品の前倒れや前後左右の位置変動を確実に防止すると共に、陳列商品の取り出しを、簡単容易に可能にする。更にこの取り出しの際は、湾曲ストッパーピース部２０２の両端部を例えば図２〜図３に示すように、湾曲凸面部Ｗ、半球面部ＨＱ、球面体Ｑ、曲がり部Ｍの何れかに形成すればこの両端部と陳列商品の表面とが面接触して陳列商品を損傷させること無く健全に維持して、品質の劣化を確実に防止するのである。
【図面の簡単な説明】
【０００７】
【図１】本考案の実施例１における商品陳列ラック例の全体を示す鳥瞰図である。
【図２】図１に示す商品陳列ラックで使用のエッジピース例（１）と（２）の拡大平面説明図である。
【図３】エッジピースの湾曲ストッパーピース部の変形例（１）〜（３）を示す拡大平面説明図である。
【考案を実施するための最良の形態】
【０００８】  本考案を実施するための最良の形態を実施例１により詳細に紹介する。
【実施例１】
【０００９】  図１において、商品陳列ラック１００は、例えば、斜めか鉛直にした正面壁面１０１に複数の水平棚１０２−１〜１０２−４を平行に配置してある。
この各水平棚１０２−１〜１０２−４は商品載置用でその各上区域を商品類Ｂ１〜Ｂ４の陳列域とする。【００１０】  陳列域商品類Ｂ１〜Ｂ４は、下端部を当該水平棚１０２−１〜１０２−４の上面に載置しタイトルを正面にして正面壁面１０１に沿って立て掛ける。
エッジピース２００は、陳列域１０１−１〜１０１−４における当該陳列商品Ｂ１〜Ｂ４の各商品に対して商品の両側部をそれぞれ挿出入自在に遊間状態で囲う少なくとも一対を正面壁面１０１に装着して対向配置する。【００１１】  前記一対のエッジピース２００は、仕切りピース部２０１と湾曲ストッパーピース部２０２とからなる錨型である。【００１２】  エッジピース２００の仕切りピース部２０１は、図２の（１）に示すように後端部２０１−１を雄木螺子Ｒにして正面壁面１０１に対して直角に螺合して固定する。
該仕切りピース部２０１はこの雄木螺子Ｒによる螺号装着法の他に、図２の（２）に示すように後端部２０１−１をストップリングＳ付きの雄螺子ボルトＢにして正面壁面１０１に挿入穴１０１Ｈを形成し裏面側にてナットＮで締結するようにしてもよい。【００１３】  エッジピース２００の湾曲ストッパーピース部２０２は、その両端部と陳列商品の表面とが面接触してその損傷を防止するため、図２の（１）と（２）に示すように、両側部に適宜面取りした湾曲凸面Ｗを形成してある。
また同じ目的で、図３の（１）に示す例のように湾曲ストッパーピース部２０２の両側部に半球面状部ＨＱを形成し、図３の（２）に示す例のように球面状体Ｑを形成し、図３の（３）に示す例のように曲がり状部Ｍを形成してある。【００１４】  仕切りピース部２０１先端部と湾曲ストッパーピース部２０２の中央部との接合方法は、溶接接合又は螺合接合等でよく、また一体型にプレス成形してもよい。
【産業上の利用可能性】
【００１５】  本考案の商品陳列ラックは、前述した優れた作用効果を呈するため、図書館、文具商店、書店、贈答品店、化粧品店などにおける商品のラック陳列業界に貢献すること多大なものがある。
【符号の説明】
【００１６】ＢＳ：木螺子
１００：商品陳列ラック
１０１：正面壁面
１０１−１〜１０１−４：陳列域
１０２−１〜１０２−４：水平棚
Ｂ１〜Ｂ４：商品類
２００：エッジピース
２０１：仕切りピース部
２０１−１：仕切りピース部の後端部
２０２：湾曲ストッパーピース部
Ｒ：雄モクネジ（木螺子）
Ｂ：雄螺子ボルト
Ｈ：挿入穴
Ｎ：ナット
Ｗ：湾曲凸面
ＨＱ：半球面部
Ｑ：球面体
Ｍ：曲がり部
【図１】
0003197708.tif 000003
【図２】
0003197708.tif 000004
【図３】
0003197708.tif 000005
【図４】
0003197708.tif 000006
【手続補正書】
【提出日】平成27年4月6日(2015.4.6)
【手続補正１】
【補正対象書類名】明細書
【補正対象項目名】０００７
【補正方法】変更
【補正の内容】
【０００７】
【図１】本考案の実施例１における商品陳列ラック例の全体を示す鳥瞰図である。
【図２】図１に示す商品陳列ラックで使用のエッジピース例（１）と（２）の拡大平面説明図である。
【図３】エッジピースの湾曲ストッパーピース部の変形例（１）〜（３）を示す拡大平面説明図である。
【図４】一対のエッジピースの対向配置の際の両仕切りピース部と湾曲ストッパーピース部の配置寸法関係を示す鳥瞰図である。